(57)【要約】【課題】ＯＦＤＭ変調信号を伝送する伝送路の推定特性を示すプロファイル信号の生成に際してその推定誤差を小さくすることができる伝送路特性推定情報生成方法、ＯＦＤＭ復調器、及びＯＦＤＭ変調信号受信表示装置を提供する。【解決手段】ＯＦＤＭシンボルを順次復調して得られた復調信号から複数のパイロット信号を抽出し、当該パイロット信号の各々から所定信号成分を取り除いて得られた残余成分の各々を推定値として記憶する。そして、当該推定値から補間推定値を生成し、当該推定値と当該補間推定値とから周波数軸上の特性推定値を示す信号を生成する。【選択図】図１
2014023045.tif 000002
【特許請求の範囲】
【請求項１】
伝送路を介して順次到来するＯＦＤＭシンボルに基づいて前記伝送路の特性を推定するための情報を生成する伝送路特性推定情報生成方法であって、
前記ＯＦＤＭシンボルを順次復調して得られた復調信号から前記ＯＦＤＭシンボル毎に複数のパイロット信号を抽出する復調抽出ステップと、
前記パイロット信号の各々から所定信号成分を取り除いて得られた残余成分の各々を推定値として記憶する推定値記憶ステップと、
前記推定値から少なくとも１つの補間推定値を生成する補間推定値生成ステップと、
前記推定値と前記補間推定値とから周波数軸上の特性推定値を示す補間後推定信号を生成しこれを出力する推定信号生成出力ステップと、を含むことを特徴とする伝送路特性推定情報生成方法。
【請求項２】
前記補間推定値は、１のＯＦＤＭシンボルの前後のＯＦＤＭシンボルについての推定値から生成されたものであり、
前記補間後推定信号は、前記１のＯＦＤＭシンボルについての前記推定値と前記補間推定値とから生成されたものであることを特徴とする請求項１に記載の伝送路特性推定情報生成方法。
【請求項３】
前記補間推定値は、１のＯＦＤＭシンボルについての推定値から生成されたものであり、
前記補間後推定信号は、前記１のＯＦＤＭシンボルについての前記推定値と前記補間推定値とから生成されたものであることを特徴とすることを特徴とする請求項１に記載の伝送路特性推定情報生成方法。
【請求項４】
前記ＯＦＤＭシンボルは、周波数軸上に分布する複数のサブキャリアを搬送波として伝送され、
前記補間後推定信号においては、前記サブキャリアの周波数毎に前記推定値、前記補間推定値、及びダミー値のうちの１つが割り当てられていることを特徴とする請求項１に記載の伝送路特性推定情報生成方法。
【請求項５】
前記推定値と前記補間推定値とは、等間隔周波数で交互に割り当てられていることを特徴とする請求項４に記載の伝送路特性推定情報生成方法。
【請求項６】
前記補間推定値は、補間を目的とした関数に基づくタップ係数を有するＦＩＲフィルタに前記推定値を入力して得られる出力値であることを特徴とする請求項１に記載の伝送路特性推定情報生成方法。
【請求項７】
前記補間後推定信号から時間軸上の特性推定値を示す特性プロファイル信号を生成する特性プロファイル信号生成ステップを更に含むことを特徴とする請求項１に記載の伝送路特性推定情報生成方法。
【請求項８】
前記特性プロファイル信号においては、前記ＯＦＤＭシンボルの１シンボル長に相当する区間内において同一の信号成分が複数回に亘って反復されることを特徴とする請求項７に記載の伝送路特性推定情報生成方法。
【請求項９】
ＯＦＤＭ変調信号を復調するＯＦＤＭ変調信号復調器であって、
前記ＯＦＤＭ変調信号に含まれる複数のＯＦＤＭシンボルを順次復調して得られた復調信号から前記ＯＦＤＭシンボル毎に複数のパイロット信号を抽出する復調抽出手段と、
前記パイロット信号の各々から所定信号成分を取り除いて得られた残余成分の各々を推定値として記憶する推定値記憶手段と、
前記推定値から少なくとも１つの補間推定値を生成する補間推定値生成手段と、
前記推定値と前記補間推定値とから周波数軸上の特性推定値を示す補間後推定信号を生成しこれを出力する推定信号生成出力手段と、を含むことを特徴とするＯＦＤＭ変調信号復調器。
【請求項１０】
前記補間推定値生成手段は、補間を目的とした関数に基づくタップ係数を有するＦＩＲフィルタからなり、
前記補間推定値は、前記ＦＩＲフィルタに前記推定値を入力して得られる出力値であることを特徴とする請求項９に記載のＯＦＤＭ変調信号復調器。
【請求項１１】
ＯＦＤＭ変調信号を受信しこれを復調及び復号して得られた復号信号に基づく表示を行うＯＦＤＭ変調信号受信表示装置であって、
前記ＯＦＤＭ変調信号に含まれる複数のＯＦＤＭシンボルを順次復調して得られた復調信号から前記ＯＦＤＭシンボル毎に複数のパイロット信号を抽出する復調抽出手段と、
前記パイロット信号の各々から所定信号成分を取り除いて得られた残余成分の各々を推定値として記憶する推定値記憶手段と、
前記推定値から少なくとも１つの補間推定値を生成する補間推定値生成手段と、
前記推定値と前記補間推定値とから周波数軸上の特性推定値を示す補間後推定信号を生成しこれを出力する推定信号生成出力手段と、を含むことを特徴とするＯＦＤＭ変調信号受信表示装置。
【発明の詳細な説明】
【技術分野】
【０００１】
本発明は、ＯＦＤＭ（Orthogonal Frequency Division Multiplexing）変調信号に含まれるスキャッタード・パイロット（Scattered Pilot：ＳＰ）信号を用いて伝送路特性の推定に供する情報を生成する伝送路特性推定情報生成方法、ＯＦＤＭ復調器、及びＯＦＤＭ変調信号受信表示装置に関する。
【背景技術】
【０００２】
地上波デジタル放送等の通信において用いられるＯＦＤＭ変調方式は、ガードインターバルを有することからマルチパスに強いとされている。しかし、ＯＦＤＭ変調信号の伝送過程においてガードインターバルを超える遅延時間長のマルチパスが生じた場合には、シンボル間干渉が生じて受信品質が劣化してしまう。それ故、良好な受信品質を確保するために伝送路特性を正しく推定することが重要となる。
【０００３】
例えば特許文献１には、ＳＰ信号を用いた一般的な伝送路特性推定方法が開示されている。一般的に、１つのＯＦＤＭシンボル（以下、単にシンボルと称する）について、１２サブキャリア毎に１つのＳＰ信号が挿入されている。また、ＳＰ信号の挿入位置はシンボル毎に３サブキャリアずつ周波数方向にシフトされている。その結果、同一のサブキャリアに対して４シンボル毎に１つのＳＰ信号が挿入される。ＯＦＤＭ復調装置においては、順次到来するシンボルの各々からＳＰ信号を抽出し、当該ＳＰ信号に基づいて伝送路特性を推定している。
【先行技術文献】
【特許文献】
【０００４】
【特許文献１】特開２００４−３０４５９０号公報
【発明の概要】
【発明が解決しようとする課題】
【０００５】
特許文献１に開示されている推定方法の場合、ある１つのサブキャリアについてのＳＰ信号を得るためには４シンボルが必要になる。例えば、現在の復調対象シンボル（以下、現在シンボルと称する）と、現在シンボルから２つ前のシンボル（以下、過去２シンボルと称する）と、現在シンボルから１つ前のシンボル（以下、過去１シンボルと称する）と、現在シンボルから１つ後のシンボル（以下、未来１シンボルと称する）とが必要になる。この場合において伝送路特性の時間的変化が大きいときには、過去２シンボル受信時と現在シンボル受信時とで伝送路特性が大きく異なり得る。このように、互いに異なる伝送路特性下において受信した各シンボルのパイロット信号を用いて伝送路特性の推定値を示すプロファイル信号を生成した場合には推定誤差が大きくなってしまう。
【０００６】
本発明は上記した如き問題点に鑑みてなされたものであって、ＯＦＤＭ変調信号を伝送する伝送路の推定特性を示すプロファイル信号の生成に際してその推定誤差を小さくすることができる伝送路特性推定情報生成方法、ＯＦＤＭ復調器、及びＯＦＤＭ変調信号受信表示装置を提供することを目的とする。
【課題を解決するための手段】
【０００７】
本発明による伝送路特性推定情報生成方法は、伝送路を介して順次到来するＯＦＤＭシンボルに基づいて前記伝送路の特性を推定するための情報を生成する伝送路特性推定情報生成方法であって、前記ＯＦＤＭシンボルを順次復調して得られた復調信号から前記ＯＦＤＭシンボル毎に複数のパイロット信号を抽出する復調抽出ステップと、前記パイロット信号の各々から所定信号成分を取り除いて得られた残余成分の各々を推定値として記憶する推定値記憶ステップと、前記推定値から少なくとも１つの補間推定値を生成する補間推定値生成ステップと、前記推定値と前記補間推定値とから周波数軸上の特性推定値を示す補間後推定信号を生成しこれを出力する推定信号生成出力ステップと、を含むことを特徴とする
本発明によるＯＦＤＭ復調器は、ＯＦＤＭ変調信号を復調するＯＦＤＭ変調信号復調器であって、前記ＯＦＤＭ変調信号に含まれる複数のＯＦＤＭシンボルを順次復調して得られた復調信号から前記ＯＦＤＭシンボル毎に複数のパイロット信号を抽出する復調抽出手段と、前記パイロット信号の各々から所定信号成分を取り除いて得られた残余成分の各々を推定値として記憶する推定値記憶手段と、前記推定値から少なくとも１つの補間推定値を生成する補間推定値生成手段と、前記推定値と前記補間推定値とから周波数軸上の特性推定値を示す補間後推定信号を生成しこれを出力する推定信号生成出力手段と、を含むことを特徴とする。
【０００８】
本発明によるＯＦＤＭ変調信号受信表示装置は、ＯＦＤＭ変調信号を受信しこれを復調及び復号して得られた復号信号に基づく表示を行うＯＦＤＭ変調信号受信表示装置であって、前記ＯＦＤＭ変調信号に含まれる複数のＯＦＤＭシンボルを順次復調して得られた復調信号から前記ＯＦＤＭシンボル毎に複数のパイロット信号を抽出する復調抽出手段と、前記パイロット信号の各々から所定信号成分を取り除いて得られた残余成分の各々を推定値として記憶する推定値記憶手段と、前記推定値から少なくとも１つの補間推定値を生成する補間推定値生成手段と、前記推定値と前記補間推定値とから周波数軸上の特性推定値を示す補間後推定信号を生成しこれを出力する推定信号生成出力手段と、を含むことを特徴とする。
【発明の効果】
【０００９】
本発明による伝送路特性推定情報生成方法、ＯＦＤＭ復調器、及びＯＦＤＭ変調信号受信表示装置によれば、ＯＦＤＭ変調信号を伝送する伝送路の推定特性を示すプロファイル信号の生成に際してその推定誤差を小さくすることができる。
【図面の簡単な説明】
【００１０】
【図１】本発明の実施例であるＯＦＤＭ変調信号受信表示装置の構成を示すブロック図である。
【図２】図１の補間フィルタの一例を示す回路図である。
【図３】復調信号におけるサブキャリア単位の信号配列を示す図である。
【図４】伝送路特性推定情報生成処理ルーチンを示すフローチャートである。
【図５】伝送路特性推定情報生成処理に関するシンボルの信号配列と補間後推定信号の推定値設定位置との関係を示す図である。
【図６】変形例の伝送路特性推定情報生成処理に関するシンボルの信号配列と補間後推定信号の推定値設定位置との関係を示す図である。
【発明を実施するための形態】
【００１１】
以下、本発明に係る実施例について添付の図面を参照しつつ詳細に説明する。
【００１２】
図１には、本発明の実施例であるＯＦＤＭ変調信号受信表示装置１（以下、単に受信装置１と称する）の構成が示されている。受信装置１は、アンテナ２を備え、ＯＦＤＭ変調信号を捕捉することができる。受信装置１は例えばカーナビゲーション装置である。ＯＦＤＭ変調信号は例えば地上波デジタル放送信号である。この場合、後述の表示部８にはカーナビゲーション機能による地図情報と地上波デジタル放送番組の映像とを選択的に表示することができる。
【００１３】
ＲＦ部３は、アンテナ２によって捉えられた様々な受信信号を入力信号とし、これに所定の信号処理を施してＯＦＤＭ復調器４に供給する。詳細には、ＲＦ部３は、まず微小信号である受信信号を増幅して得られた信号を中間周波数信号に変換する。ＲＦ部３は、次に、中間周波数信号から１つのチャネル信号を選択し、これを更に増幅してＯＦＤＭ復調器４に供給する。
【００１４】
ＯＦＤＭ復調器４は、ＲＦ部３から供給されるＯＦＤＭ変調信号を復調及び復号して得られたデジタル信号を後段のデコーダ７に供給する。ＯＦＤＭ復調器４は、１つのＬＳＩすなわち半導体装置として構成することができる。
【００１５】
復調部５は、ＲＦ部３から供給されるＯＦＤＭ変調信号を復調して復調信号を得る。復調処理は、ＯＦＤＭ変調信号に対して一般的な直並列変換、離散フーリエ変換、等化、並直列変換の各処理を順次施すことによってなされる。
【００１６】
復号部６は、復調信号を復号して得られたデジタル信号を後段のデコーダ７に供給する。復号処理は、復調信号に対して、例えば、誤り訂正復号に関する処理（例えばデインターリーブ処理やビタビ復号処理）、エネルギー逆拡散処理、ＲＳ復号処理、信号フォーマットの変換処理を順次施すことによってなされる。
【００１７】
デコーダ７は、復号部６から供給されるデジタル信号に基づいて映像を再生する。
【００１８】
表示部８は、デコーダ７によって再生された映像を表示する。表示部８は例えば液晶ディスプレイである。
【００１９】
ＳＰ抽出部９は、復調部５の復調処理によって得られた復調信号に含まれるＯＦＤＭシンボル毎にＳＰ信号を抽出する。更に、ＳＰ抽出部９は、ＳＰ信号に重畳されている既知の所定情報成分を取り除いて得られた残余成分を推定値とする。この所定情報成分は、ＯＦＤＭ変調信号の送信装置（図示せず）においてＳＰ信号に重畳されたものである。ＳＰ抽出部９は、当該送信装置によって重畳される所定情報成分と同一の情報成分を、ＯＦＤＭ変調信号の受信以前から有している。推定値は、伝送路特性に応じてＳＰ信号の振幅及び位相に加えられた変動すなわち影響を表すものである。推定値は振幅及び位相によって表される。ＳＰ抽出部９は、シンボル毎に複数のＳＰ信号を抽出してその各々についての推定値を得る。復調信号内のＳＰ信号の存在位置については後述する（図３）。ＳＰ信号の抽出処理の詳細についても後述する（図４及び図５）。
【００２０】
メモリ１０は、ＳＰ抽出部９によって抽出された推定値をシンボル毎に記憶する。以下、便宜上、現在の復調対象シンボルを現在シンボルと称し、現在シンボルから２つ前のシンボルを過去２シンボルと称し、現在シンボルから１つ前のシンボルを過去１シンボルと称し、現在シンボルから１つ後のシンボルを未来１シンボルと称する。メモリ１０は、これらの各シンボルについての推定値をシンボル毎に記憶している。これらの推定値は、そのもととなったＳＰ信号の周波数値と対応付けられて記憶される。
【００２１】
補間フィルタ１１は、メモリ１０から過去１シンボルについての推定値と未来１シンボルについての推定値とを順次読み出し、これらの推定値に基づいて補間推定値を算出する。補間推定値は振幅及び位相によって表される。補間フィルタ１１は例えばＦＩＲフィルタである。ＦＩＲフィルタの構成については後述する（図２）。また、補間推定値の詳細についても後述する（図５）。
【００２２】
ＳＰ選択部１２は、メモリ１０に記憶されている現在シンボルについての推定値と、補間フィルタ１１によって生成された補間推定値とから、伝送路特性に応じて位相及び振幅に与えられる影響の推定値を周波数領域表示によって示す信号（以下、補間後推定信号と称する）を生成する。補間後推定信号及びその生成処理の詳細については後述する（図４及び図５）。
【００２３】
ＩＦＦＴ部１３は、ＳＰ選択部１２によって生成された補間後推定信号に対して逆離散フーリエ変換処理を施して時間領域表示のプロファイル信号を生成する。プロファイル信号は、伝送路特性の推定に供する情報を示す信号である。詳細には、プロファイル信号によって、例えば、ＯＦＤＭ変調信号がアンテナ２に到来した時刻と、伝送路特性に応じてサブキャリアの位相及び振幅に与えられる影響度が時間軸上に示される。
【００２４】
プロファイル選定部１４は、ＩＦＦＴ部１３によって生成されたプロファイル信号のうちの所定の時間幅分の成分のみからなる信号（以下、区間プロファイル信号と称する）を生成する。例えば、ＩＦＦＴ部１３に入力されるプロファイル信号が６サブキャリア毎に１つの推定値又は保管推定値を示している場合、プロファイル選定部１４は、時間領域表示信号の１シンボル長の１／６の長さに相当する区間の成分のみからなる信号を生成し、これを区間プロファイル信号として出力する。
【００２５】
図２には、補間フィルタ１１の一例が示されている。補間フィルタ１１は、ＦＩＲ（finite impulse response）フィルタとして構成され得る。以下、ＦＩＲフィルタのタップ数が４つである場合を例に説明する。補間フィルタ１１は、遅延器２１〜２３、乗算器３０〜３３、加算器４０とからなる。
【００２６】
遅延器２１〜２３は直列接続されており、これらの各々は前段の遅延器の出力信号を１タイミング分だけ遅延させて出力する。遅延器２１には、メモリ１０に記憶されている推定値のうち、過去１シンボル及び未来１シンボルについての推定値が順次入力される。遅延器２１は入力推定値を１タイミング分だけ遅延させて後段の遅延器２２に供給する。遅延器２２は遅延入力信号を更に１タイミング分だけ遅延させて後段の遅延器２３に供給する。遅延器３２は遅延入力信号を更に１タイミング分だけ遅延させて出力する。
【００２７】
乗算器３０は、メモリ１０からの入力推定値に所定のタップ係数ｋ０を乗算して得られた結果を出力する。乗算器３１、３２及び３３は、それぞれ遅延器２１、２２及び２３の出力に所定のタップ係数ｋ１、ｋ２及びｋ３を乗算して得られた結果を出力する。タップ係数ｋ０〜ｋ３は、補間を目的とした関数の規則性を考慮して適当な値に予め設定されている。ＯＦＤＭ変調信号においては、複数のサブキャリアが互いに直交関係となるように周波数軸上に分布している。直交関係は補間を目的とした関数によって表されるので、補間を目的とした関数値をタップ係数ｋ０〜ｋ３として設定する。更に、窓関数をも考慮してタップ係数ｋ０〜ｋ３を設定することもできる。
【００２８】
加算器４０は、乗算器３０〜３３の各々の出力を加算して得られた結果を補間推定値としてＳＰ抽出部９に供給する。なお、上記例はＦＩＲフィルタのタップ数を４とした場合の例であるが、これに限られない。また、補間フィルタ１１として線形補間フィルタを用いることもできる。この場合、補間対象となるＳＰ信号のサブキャリア位置に対する補間推定値を、隣接ＳＰ信号各々の推定値から線形補間することによって求める。
【００２９】
図３には、復調信号におけるサブキャリア単位の信号配列が示されている。横軸は周波数、縦軸は時間である。記号「○」がＳＰ信号を表し、記号「●」がＳＰ信号以外の信号を表す。復調部５（図１）からはシンボルＳ１、Ｓ２、Ｓ３、Ｓ４及びＳ５についての復調信号が順次出力される。シンボルＳ１〜Ｓ５の各々について、周波数軸方向に１２サブキャリア毎に１つのＳＰ信号が存在する。例えば、シンボルＳ１の場合、周波数ｆ１とｆ５の位置にＳＰ信号が存在する。
【００３０】
ＳＰ信号の挿入位置はシンボル毎に３サブキャリアずつ周波数方向にシフトされている。例えば、シンボルＳ１のＳＰ信号は周波数ｆ１とｆ５の位置に存在し、その次のシンボルＳ２のＳＰ信号は周波数ｆ２とｆ６の位置に存在する。周波数ｆ１と周波数ｆ２との間隔、及び周波数ｆ５と周波数ｆ６との間隔はそれぞれ３サブキャリアである。
【００３１】
上記配列により、同一のサブキャリアに対して４シンボル毎に１つのＳＰ信号が存在する。例えば、周波数ｆ１のサブキャリの場合、ＳＰ信号が存在するシンボルＳ１の次のシンボルＳ２から数えて４シンボル目のシンボルＳ５にＳＰ信号が出現する。
【００３２】
以下、図４及び図５を参照しつつ、ＯＦＤＭ復調器４によるプロファイル信号の生成処理について説明する。補間フィルタ１１が図２に示される４つのタップからなるＦＩＲフィルタである場合について説明する。
【００３３】
先ず、ＳＰ抽出部９が、復調部５の復調処理によって得られた復調信号に含まれるＯＦＤＭシンボル毎にＳＰ信号を抽出する（ステップＳ１）。
【００３４】
次に、ＳＰ抽出部９は、各ＳＰ信号に重畳されている既知の所定情報成分を取り除いて得られた残余成分を各ＳＰ信号についての推定値とする。ＳＰ抽出部９は、１シンボル毎にＳＰ信号を抽出してその推定値を得る（ステップＳ２）。
【００３５】
次に、各ＳＰ信号についての推定値をメモリ１０に記憶する（ステップＳ３）。詳細には、過去１シンボルについての推定値Ａ０、Ａ１、・・・、現在シンボルについての推定値Ｂ１、Ｂ２、・・・、及び未来１シンボルについての推定値Ｃ１、Ｃ２、・・・がメモリ１０に記憶される。
【００３６】
次に、過去１シンボル及び未来１シンボルの各々についての推定値を、周波数の低いものから順に補間フィルタ１１に入力する（ステップＳ４）。すなわち、推定値Ａ０、Ｃ１、Ａ１、Ｃ２、Ａ２、Ｃ３、・・・の順に入力される。補間フィルタ１１に推定値が入力される毎に１つの補間推定値が出力される。ＳＰ選択部１２は、補間フィルタ１１に推定値Ａ０、Ｃ１、及びＡ１が入力されたときに出力される補間推定値については破棄する。
【００３７】
補間フィルタ１１に推定値Ｃ２が入力されたときの遅延器２１の出力は推定値Ａ１、遅延器２２の出力は推定値Ｃ１、遅延器２３の出力は推定値Ａ０である。ＳＰ選択部１２は、補間フィルタ１１に推定値Ｃ２が入力されたときに補間フィルタ１１から出力される補間推定値Ｇ１については採用する。
【００３８】
補間フィルタ１１に推定値Ａ２が入力されたときの遅延器２１の出力は推定値Ｃ２、遅延器２２の出力は推定値Ａ１、遅延器２３の出力は推定値Ｃ１である。ＳＰ選択部１２は、補間フィルタ１１に推定値Ａ２が入力されたときに補間フィルタ１１から出力される出力される補間推定値については破棄する。
【００３９】
補間フィルタ１１に推定値Ｃ３が入力されたときの遅延器２１の出力は推定値Ａ２、遅延器２２の出力は推定値Ｃ２、遅延器２３の出力は推定値Ａ１である。ＳＰ選択部１２は、補間フィルタ１１に推定値Ｃ３が入力されたときに補間フィルタ１１から出力される補間推定値Ｇ２については採用する。
【００４０】
補間フィルタ１１は、推定値が入力される毎に同様に補間推定値を生成出力する。ＳＰ選択部１２は、補間フィルタ１１から出力される補間推定値について同様に破棄と採用を交互に行なう。ＳＰ選択部１２は、メモリ１０に記憶されている、現在シンボルについての推定値Ｂ１、Ｂ２、・・・については全て採用する。
【００４１】
次に、ＳＰ選択部１２は、推定値Ｂ１、Ｂ２、・・・、補間推定値Ｇ１、Ｇ２・・・及びダミー値を用いて補間後推定信号を生成する（ステップＳ５）。補間後推定信号は、サブキャリア周波数間隔おきに分布した複数の値すなわち推定値、補間推定値、及びダミー値からなる。図４においては、推定値及び補間推定値は記号「○」、ダミー値は記号「●」によって示されている。
【００４２】
補間後推定信号の各周波数位置のうち、現在シンボル中のＳＰ信号が存在する各周波数位置ｆ１、ｆ３、ｆ５、・・・に対しては、それぞれ現在シンボルについての推定値Ｂ１、Ｂ２、・・・が設定される。
【００４３】
補間後推定信号の各周波数位置のうち、現在シンボル中の互いに隣接するＳＰ信号同士の各中間周波数位置ｆ２、ｆ４、・・・に対しては、それぞれ補間推定値Ｇ１、Ｇ２、・・・が設定される。
【００４４】
補間後推定信号の各周波数位置のうち、推定値及び補間推定値が設定された周波数位置以外の周波数位置に対しては、ダミー値が設定される。ダミー値は例えば「０」である。
【００４５】
これらの設定は、１シンボルについての全サブキャリア周波数分布範囲に亘ってなされる。当該設定により、６サブキャリア毎に１つの推定値又は補間推定値が存在する補間後推定信号が生成される。すなわち、補間後推定信号においては、等間隔周波数毎に推定値と補間推定値とが交互に存在する。ＳＰ選択部１２は、復調部５によって現在復調対象とされている現在シンボルを中心として上記の補間後推定信号生成を周期的に行なう。
【００４６】
次に、ＩＦＦＴ部１３が、補間後推定信号に対して逆離散フーリエ変換処理を施して時間領域表示のプロファイル信号を生成する（ステップＳ６）。
【００４７】
次に、プロファイル選定部１４が、プロファイル信号成分から、１シンボル長の１／６に相当する区間分の成分のみからなる区間プロファイル信号を生成する（ステップＳ７）。
【００４８】
このように、本実施例の無線通信システム１においては、現在シンボルと、現在シンボルより時間的に１つ前のシンボル（過去１シンボル）と、現在シンボルより時間的に１つ後のシンボル（未来１シンボル）とを用いて、伝送路特性の推定値を示すプロファイル信号を生成する。現在シンボルとその直前及び直後のシンボルのみを用いるので、伝送路特性の時間的変化が大きい受信状況においても推定誤差を小さくすることができる。従来技術のように、４つの連続するシンボルからプロファイル信号を生成した場合には、当該生成に用いられる現在シンボルのＳＰ信号の割合は２５％に留まる。これに対して、本願発明においてはプロファイル信号の生成に用いられる現在シンボルのＳＰ信号の割合は５０％である（なお、過去１シンボルのＳＰ信号の割合は２５％、未来１シンボルのＳＰ信号の割合も２５％である）。それ故、本実施例の無線通信システム１によれば、現在シンボルから時間的に２つ又は３つ離れたシンボルをも用いてプロファイル信号を生成する従来技術に比較して、プロファイル信号が示す推定値の精度を向上させることができる。
【００４９】
また、本実施例の無線通信システム１においては、プロファイル信号生成の前段階において、過去１シンボル及び未来１シンボル各々のＳＰ信号から推定値を補間する推定値補間処理を行なう。詳細には、現在シンボルにもともと含まれているＳＰ信号についての推定値をそのＳＰ信号の周波数位置に対してそのまま設定するとともに、隣接ＳＰ信号の中間周波数位置に対して当該隣接ＳＰ信号各々の推定値に基づく補間推定値を設定して補間後推定信号を生成する。かかる処理により、推定値及び補間推定値が例えば６サブキャリア毎などの一定間隔毎に設定される。一定間隔設定とすることにより、ＯＦＤＭシンボルの１シンボル長に相当する区間内において同一の信号成分が例えば６回など複数回に亘って反復されるプロファイル信号を生成することができる。それ故、プロファイル信号成分から、１シンボル長の例えば１／６に相当する区間分の成分を簡単に取り出すことができる。
【００５０】
このように、本実施例の無線通信システム１によれば、現在シンボルとその直前及び直後のシンボルのみを用いてプロファイル信号を生成することにより推定誤差を小さくすることができるとともに、推定値が周波数軸上に一定間隔で分布するように補間することにより所望の区間プロファイル信号を容易に得ることができる。
【００５１】
上記実施例は、ＩＳＤＢ−Ｔ規格におけるＳＰ信号配列について補間処理をする場合の例であるが、これに限られない。ＯＦＤＭ変調方式を使用し、一定周波数間隔で配列されたパイロット信号を有する通信方式であれば本発明を適用できる。パイロット信号に対応するサブキャリア同士の間隔がＮである場合、ＯＦＤＭシンボルの１／Ｎの時間区間における伝送路状態を得ることができる。
【００５２】
＜変形例＞
上記実施例は、現在シンボルとその直前及び直後のシンボルを用いて補間処理する場合の例であるが、これに限られない。
【００５３】
例えば、図６に示すように、現在シンボルのＳＰ信号についての推定値のみを用いて補間処理を行なうこともできる。この場合、例えば以下のように動作させる。補間フィルタ１１としては、２つのタップ数からなるＦＩＲフィルタを用いることができる。タップ係数は補間を目的とした関数に基づいて設定される。補間フィルタ１１には、メモリ１０に記憶されている推定値のうち、現在シンボルのＳＰ信号についての推定値Ｂ１、Ｂ２、・・・が周波数の低い順に入力される。
【００５４】
ＳＰ選択部１２は、補間フィルタ１１に推定値Ｂ２が入力されたときに補間フィルタ１１から出力される値を、推定値Ｂ１と推定値Ｂ２の中間周波数位置に対する補間推定値Ｇ１として設定する。また、ＳＰ選択部１２は、補間フィルタ１１に推定値Ｂ３が入力されたときに補間フィルタ１１から出力される値を、推定値Ｂ２と推定値Ｂ３の中間周波数位置に対する補間推定値Ｇ２として設定する。このように、ＳＰ選択部１２は、補間フィルタ１１から出力される値を破棄せずに全ての値を補間推定値として採用する。
【００５５】
現在シンボルについての推定値Ｂ１、Ｂ２、・・・及びダミー値については上記実施例と同様に設定する。かかる構成によれば、現在シンボルのＳＰ信号のみを用いて補間処理を行なうので、伝送路特性が時間的に大きく変動する受信環境下であっても、その変動に影響を最小限とし、推定誤差を低減することができる。
【符号の説明】
【００５６】
１  ＯＦＤＭ変調信号受信表示装置
２  アンテナ
３  ＲＦ部
４  ＯＦＤＭ復調器
５  復調部
６  復号部
７  デコーダ
８  表示部
９  ＳＰ抽出部
１０  メモリ
１１  補間フィルタ
１２  ＳＰ選択部
１３  ＩＦＦＴ部
１４  プロファイル選定部
【図１】
2014023045.tif 000003
【図２】
2014023045.tif 000004
【図３】
2014023045.tif 000005
【図４】
2014023045.tif 000006
【図５】
2014023045.tif 000007
【図６】
2014023045.tif 000008